(57)【要約】【課題】  全体の大きさを抑えた無効電力補償装置を提供することにある。【解決手段】  無効電力補償装置１０は、６つのサイリスタモジュール１１〜１６のうち３つが３段積みされたサイリスタバルブ１ａと、サイリスタバルブ１ａと電気的に接続され、６つのサイリスタモジュール１１〜１６のうちサイリスタバルブ１ａと異なる３つが３段積みされたサイリスタバルブ１ｂとを備え、サイリスタバルブ１ａは、無効電力補償回路のＵＸ相の回路の一部を構成するサイリスタモジュール１１と、ＷＺ相の回路の一部を構成するサイリスタモジュール１６と、ＷＺ相の回路の一部を構成するサイリスタモジュール１５とを備え、サイリスタバルブ１ｂは、ＵＸ相の回路の一部を構成するサイリスタモジュール１２と、ＶＹ相の回路の一部を構成するサイリスタモジュール１３と、ＶＹ相の回路の一部を構成するサイリスタモジュール１４とを備える。【選択図】図１
2019017153.tif 000002
【特許請求の範囲】
【請求項１】
互いに逆並列に接続された少なくとも１組の整流作用を有するスイッチ素子を含む回路を備えた６つのモジュールのうち３つが３段積みされた第１の構造物と、
前記第１の構造物と電気的に接続され、前記６つのモジュールのうち前記第１の構造物と異なる３つが３段積みされた第２の構造物とを備え、
前記第１の構造物は、
前記６つのモジュールのうち、三相交流電力の無効電力を補償する無効電力補償回路の第１の相の回路の一部を構成する第１のモジュールと、
前記６つのモジュールのうち、前記無効電力補償回路の第２の相の回路の一部を構成する第２のモジュールと、
前記６つのモジュールのうち、前記第２の相の回路の一部を構成する第３のモジュールとを備え、
前記第２の構造物は、
前記６つのモジュールのうち、前記第１の相の回路の一部を構成する第４のモジュールと、
前記６つのモジュールのうち、前記無効電力補償回路の第３の相の回路の一部を構成する第５のモジュールと、
前記６つのモジュールのうち、前記第３の相の回路の一部を構成する第６のモジュールとを備えこと
を特徴とする無効電力補償装置。
【請求項２】
前記無効電力を補償するためのリアクトル
を備えたことを特徴とする請求項１に記載の無効電力補償装置。
【請求項３】
前記無効電力を補償するためのコンデンサ
を備えたことを特徴とする請求項１に記載の無効電力補償装置。
【請求項４】
前記コンデンサは、前記第１のモジュールと前記第４のモジュールとの電気的な間の位置に設けられたこと
を特徴とする請求項３に記載の無効電力補償装置。
【請求項５】
前記６つのモジュールは、それぞれスナバ回路を含むこと
を特徴とする請求項１から請求項４のいずれか１項に記載の無効電力補償装置。
【発明の詳細な説明】
【技術分野】
【０００１】
本発明は、無効電力補償装置に関する。
【背景技術】
【０００２】
一般に、三相交流電力系統に適用される無効電力補償装置が知られている。
【０００３】
例えば、サイリスタスイッチの相間に必要な絶縁距離を短くするように構成された無効電力補償装置が開示されている（特許文献１参照）。
【先行技術文献】
【特許文献】
【０００４】
【特許文献１】特開２０１４−１７９６３号公報
【発明の概要】
【発明が解決しようとする課題】
【０００５】
しかしながら、無効電力補償装置は、必要な定格電圧を満たすために、サイリスタの直列数が多くなる場合がある。このような場合、無効電力補償装置も大型になる。
【０００６】
そこで、本発明の目的は、全体の大きさを抑えた無効電力補償装置を提供することにある。
【課題を解決するための手段】
【０００７】
本発明の観点に従った無効電力補償装置は、互いに逆並列に接続された少なくとも１組の整流作用を有するスイッチ素子を含む回路を備えた６つのモジュールのうち３つが３段積みされた第１の構造物と、前記第１の構造物と電気的に接続され、前記６つのモジュールのうち前記第１の構造物と異なる３つが３段積みされた第２の構造物とを備え、前記第１の構造物は、前記６つのモジュールのうち、三相交流電力の無効電力を補償する無効電力補償回路の第１の相の回路の一部を構成する第１のモジュールと、前記６つのモジュールのうち、前記無効電力補償回路の第２の相の回路の一部を構成する第２のモジュールと、前記６つのモジュールのうち、前記第２の相の回路の一部を構成する第３のモジュールとを備え、前記第２の構造物は、前記６つのモジュールのうち、前記第１の相の回路の一部を構成する第４のモジュールと、前記６つのモジュールのうち、前記無効電力補償回路の第３の相の回路の一部を構成する第５のモジュールと、前記６つのモジュールのうち、前記第３の相の回路の一部を構成する第６のモジュールとを備える。
【発明の効果】
【０００８】
本発明によれば、全体の大きさを抑えた無効電力補償装置を提供することにある。
【図面の簡単な説明】
【０００９】
【図１】本発明の第１の実施形態に係る無効電力補償装置の構成を示す構成図。
【図２】第１の実施形態に係る無効電力補償装置の無効電力補償回路を示す回路図。
【図３】第１の実施形態に係るサイリスタモジュールの回路を示す回路図。
【図４】本発明の第２の実施形態に係る無効電力補償装置の構成を示す構成図。
【図５】第２の実施形態に係る無効電力補償装置の無効電力補償回路を示す回路図。
【図６】第２の実施形態に係る無効電力補償装置のゲートブロック時におけるサイリスタモジュール１１〜１６の端子間電圧を示す波形図。
【発明を実施するための形態】
【００１０】
（第１の実施形態）
図１は、本発明の第１の実施形態に係る無効電力補償装置１０の構成を示す構成図である。図２は、第１の実施形態に係る無効電力補償装置１０の無効電力補償回路を示す回路図である。なお、図面における同一部分には同一符号を付して、異なる部分を主に説明する。
【００１１】
無効電力補償装置１０は、サイリスタモジュール１１，１２，１３，１４，１５，１６が実装された２つのサイリスタバルブ１ａ，１ｂ、及び、６つのリアクトル２１，２２，２３，２４，２５，２６を備える。
【００１２】
無効電力補償装置１０は、接続された三相交流電力系統の無効電力を補償する。ここでは、三相交流電力系統は、Ｕ相、Ｖ相及びＷ相で構成されているものとする。無効電力補償装置１０は、サイリスタ制御リアクトル（ＴＣＲ，thyristor controlled reactor）方式を採用した静止型無効電力補償装置（ＳＶＣ，static var compensator)である。無効電力補償装置１０は、サイリスタモジュール１１〜１６を交流スイッチとして開閉し、リアクトル２１〜２６に流れる電流を調整して、無効電力を補償する。
【００１３】
ここでは、説明の便宜上、サイリスタモジュール１１〜１６は、外形が直方体形状であるものとして説明するが、外形はどのような形状でもよい。また、サイリスタモジュール１１〜１６は、必ずしも筐体等で覆われている必要もない。
【００１４】
無効電力補償装置１０の無効電力補償回路は、ＵＸ相回路、ＶＹ相回路、及び、ＷＺ相回路をデルタ結線して構成される。ＵＸ相回路は、電力系統のＵＶ相間の無効電力を補償する。ＶＹ相回路は、電力系統のＶＷ相間の無効電力を補償する。ＷＺ相回路は、電力系統のＷＵ相間の無効電力を補償する。
【００１５】
ＵＸ相回路は、２つのサイリスタモジュール１１，１２、及び、２つのリアクトル２１，２２で構成される。第１のサイリスタモジュール１１、及び、第２のサイリスタモジュール１２は、直列に接続される。第１のリアクトル２１は、第１のサイリスタモジュール１１に直列に接続される。第２のリアクトル２２は、第２のサイリスタモジュール１２に直列に接続される。
【００１６】
ＶＹ相回路は、２つのサイリスタモジュール１３，１４、及び、２つのリアクトル２３，２４で構成される。第１のサイリスタモジュール１３、及び、第２のサイリスタモジュール１４は、直列に接続される。第１のリアクトル２３は、第１のサイリスタモジュール１３に直列に接続される。第２のリアクトル２４は、第２のサイリスタモジュール１４に直列に接続される。
【００１７】
ＷＺ相回路は、２つのサイリスタモジュール１５，１６、及び、２つのリアクトル２５，２６で構成される。第１のサイリスタモジュール１５、及び、第２のサイリスタモジュール１６は、直列に接続される。第１のリアクトル２５は、第１のサイリスタモジュール１５に直列に接続される。第２のリアクトル２６は、第２のサイリスタモジュール１６に直列に接続される。
【００１８】
ＵＸ相回路の第１のリアクトル２１とＷＺ相回路の第２のリアクトル２６が接続され、この接続点が電力系統のＵ相に接続されるＵ相端子Ｔａとなる。ＵＸ相回路の第２のリアクトル２２とＶＹ相回路の第１のリアクトル２３が接続され、この接続点が電力系統のＶ相に接続されるＶ相端子Ｔｂとなる。ＷＺ相回路の第１のリアクトル２５とＶＹ相回路の第２のリアクトル２４が接続され、この接続点が電力系統のＷ相に接続されるＷ相端子Ｔｃとなる。
【００１９】
図３は、本実施形態に係るＵＸ相回路の第１のサイリスタモジュール１１の構成を示す構成図である。なお、全てのサイリスタモジュール１１〜１６は、同様に構成されているため、ここでは、代表してＵＸ相回路の第１のサイリスタモジュール１１について説明する。
【００２０】
サイリスタモジュール１１は、端子Ｔｘ１から端子Ｔｕ１の向きに電流が流れるように直列に接続されたＮ個の第１のサイリスタ５１ａ、第１のサイリスタ５１ａと逆方向に電流が流れるように直列に接続された第２のＮ個のサイリスタ５１ｂ、及び、Ｎ個のスナバ回路５２を備える。ここで、Ｎは１以上であればよい。サイリスタ５１ａ，５１ｂは、整流作用を有するスイッチ素子である。
【００２１】
Ｎ個のサイリスタ５１ａとＮ個のサイリスタ５１ｂは、個々に対応するように互いに逆並列に接続される。Ｎ個のスナバ回路５２は、Ｎ組の逆並列に接続されたサイリスタ５１ａ，５１ｂの各組に対応するように並列に接続される。スナバ回路５２は、コンデンサＣＰと抵抗ＲＳが直列に接続された構成である。
【００２２】
図１を参照して、無効電力補償装置１０の構成について説明する。
【００２３】
２つのサイリスタバルブ１ａ，１ｂは、並べて設置される。サイリスタバルブ１ａ，１ｂは、それぞれ構造物であり、互いに電気的に接続される。
【００２４】
第１のサイリスタバルブ１ａは、３つのサイリスタモジュール１１，１５，１６、２種類の絶縁部材３１，３２、及び、底面部４を備える。３つのサイリスタモジュール１１，１５，１６は、それぞれの間に柱状の絶縁部材３１を介して、３段積みにされる。一番下の１段目には、ＷＺ相回路の第１のサイリスタモジュール１５が位置し、真ん中の２段目には、ＷＺ相回路の第２のサイリスタモジュール１６が位置し、一番上の３段目には、ＵＸ相回路の第１のサイリスタモジュール１１が位置する。１段目のサイリスタモジュール１５と地面に設置される底面部４との間には、絶縁部材３１よりも絶縁距離が２倍長い絶縁部材３２が設けられる。
【００２５】
第２のサイリスタバルブ１ｂは、３つのサイリスタモジュール１２，１３，１４、２種類の絶縁部材３１，３２、及び、底面部４を備える。３つのサイリスタモジュール１２，１３，１４は、それぞれの間に柱状の絶縁部材３１を介して、３段積みにされる。一番下の１段目には、ＶＹ相回路の第２のサイリスタモジュール１４が位置し、真ん中の２段目には、ＶＹ相回路の第１のサイリスタモジュール１３が位置し、一番上の３段目には、ＵＸ相回路の第２のサイリスタモジュール１２が位置する。１段目のサイリスタモジュール１４と地面に設置される底面部４との間には、絶縁部材３２が設けられる。
【００２６】
ＷＺ相回路の第１のリアクトル２５は、ＷＺ相回路の第１のサイリスタモジュール１５の第２のサイリスタバルブ１ｂと対向する面と反対側に設けられた端子Ｔｗ１に接続される。
【００２７】
ＷＺ相回路の第２のリアクトル２６は、ＷＺ相回路の第２のサイリスタモジュール１６の第２のサイリスタバルブ１ｂと対向する側に設けられた端子Ｔｚ２に接続される。
【００２８】
ＵＸ相回路の第１のリアクトル２１は、ＵＸ相回路の第１のサイリスタモジュール１１の第２のサイリスタバルブ１ｂと対向する面と反対側に設けられた端子Ｔｕ１に接続される。
【００２９】
ＶＹ相回路の第２のリアクトル２４は、ＶＹ相回路の第２のサイリスタモジュール１４の第１のサイリスタバルブ１ａと対向する面と反対側に設けられた端子Ｔｙ２に接続される。
【００３０】
ＶＹ相回路の第１のリアクトル２３は、ＶＹ相回路の第１のサイリスタモジュール１３の第１のサイリスタバルブ１ａと対向する側に設けられた端子Ｔｖ１に接続される。
【００３１】
ＵＸ相回路の第２のリアクトル２２は、ＵＸ相回路の第２のサイリスタモジュール１２の第１のサイリスタバルブ１ａと対向する面と反対側に設けられた端子Ｔｘ２に接続される。
【００３２】
次に、絶縁部材３１，３２の絶縁距離について説明する。ここで、絶縁部材３１，３２の絶縁距離は、主に長さで決まるが、外形に凹凸を付けることにより、長さを短くして、絶縁距離を長くしてもよい。
【００３３】
第１のサイリスタバルブ１ａでは、１段目のサイリスタモジュール１５と２段目のサイリスタモジュール１６との間、及び、２段目のサイリスタモジュール１６と３段目のサイリスタモジュール１１との間をそれぞれ複数の絶縁部材３１で支える。
【００３４】
第２のサイリスタバルブ１ｂでは、１段目のサイリスタモジュール１４と２段目のサイリスタモジュール１３との間、及び、２段目のサイリスタモジュール１３と３段目のサイリスタモジュール１２との間をそれぞれ複数の絶縁部材３１で支える。
【００３５】
電力系統の各線間電圧のピーク値をＶａｃｐとすると、無効電力補償装置１０の各相端子Ｔａ〜Ｔｃ間電圧のピーク値もＶａｃｐとなる。また、各サイリスタモジュール１１〜１６のサイリスタ５１ａ，５１ｂの直列数は同じである。したがって、各サイリスタモジュール１１〜１６の端子間に印加される電圧のピーク値は、１／２Ｖａｃｐ（Ｖａｃｐの半分）相当になる。よって、絶縁部材３１は、１／２Ｖａｃｐの電圧の絶縁が確保できる長さにする。
【００３６】
第１のサイリスタバルブ１ａでは、１段目のサイリスタモジュール１５と底面部４との間を複数の絶縁部材３２で支える。第２のサイリスタバルブ１ｂでは、１段目のサイリスタモジュール１２と底面部４との間を複数の絶縁部材３２で支える。
【００３７】
各サイリスタモジュール１１〜１６と対地間では、Ｖａｃｐの電圧の絶縁を確保する必要がある。よって、絶縁部材３２は、Ｖａｃｐの電圧の絶縁が確保できる長さにする。
【００３８】
本実施形態によれば、各相を２つのサイリスタモジュール１１〜１６で構成し、３相のうち１つの相の回路を構成する２つのサイリスタモジュール１１，１２を別々のサイリスタバルブ１ａ，１ｂに実装することで、無効電力補償装置１０の高さ及び設置面積を小さくすることができる。これにより、無効電力補償装置１０の設置スペースを小さくすることができる。
【００３９】
また、各相を２つのサイリスタモジュール１１〜１６で構成するため、１つのサイリスタモジュールに実装可能なサイリスタ５１ａ，５１ｂの数の制限がある場合でも、サイリスタ５１ａ，５１ｂの直列数を増加させることができる。これにより、無効電力補償装置１０の定格電圧などの定格容量を大きくすることができる。
（第２の実施形態）
図４は、本発明の第２の実施形態に係る無効電力補償装置１０Ａの構成を示す構成図である。図５は、第２の実施形態に係る無効電力補償装置１０Ａの無効電力補償回路を示す回路図である。
【００４０】
図５に示す無効電力補償装置１０Ａの無効電力補償回路は、図２に示す第１の実施形態に係る無効電力補償装置１０の無効電力補償回路において、３つのリアクトル２２，２３，２６を取り除き、３つのコンデンサ６１，６２，６３、及び、４つの避雷器（サージアレスタ）７１，７２，７３，７４を追加したものである。
【００４１】
無効電力補償装置１０Ａは、サイリスタ開閉コンデンサ（ＴＳＣ，thyristor switched capacitor）方式を採用した静止型無効電力補償装置である。無効電力補償装置１０Ａは、サイリスタモジュール１１〜１６を交流スイッチとして用い、調相用に設けられたコンデンサ６１〜６３の投入又は開放することで、無効電力を補償する。避雷器７１〜７４は、サイリスタモジュール１１〜１６に印加される過電圧を抑制するために設けられる。
【００４２】
ＵＸ相回路は、図２に示す第１の実施形態に係るＵＸ相回路において、第２のリアクトル２２の代わりにコンデンサ６１を設け、第２のサイリスタモジュール１２の端子Ｔｘ２とＵ相端子Ｔａとを接続するように避雷器７１を設けたものである。
【００４３】
ＶＹ相回路は、図２に示す第１の実施形態に係るＶＹ相回路において、第１のリアクトル２３の代わりにコンデンサ６２を設け、第２のサイリスタモジュール１４の端子Ｔｙ２とＶ相端子Ｔｂとを接続するように避雷器７２を設けたものである。
【００４４】
ＷＺ相回路は、図２に示す第１の実施形態に係るＷＺ相回路において、第２のリアクトル２６を取り除き、第１のサイリスタモジュール１５の端子Ｔｚ１とＷ相端子Ｔｃとを接続するように避雷器７４を設け、第２のサイリスタモジュール１６と並列に接続するように避雷器７３を設け、第１のサイリスタモジュール１５の端子Ｔｚ１と第２のサイリスタモジュール１６の端子Ｔｗ２との間に接続するようにコンデンサ６３を設けたものである。
【００４５】
図４を参照して、無効電力補償装置１０Ａの構成について説明する。
【００４６】
２つのサイリスタバルブ１ａＡ，１ｂＡは、並べて設置される。サイリスタバルブ１ａＡ，１ｂＡは、それぞれ構造物であり、互いに電気的に接続される。サイリスタバルブ１ａＡ，１ｂＡは、基本的には、第１の実施形態に係るサイリスタバルブ１ａ，１ｂと同様に構成される。
【００４７】
第１のサイリスタバルブ１ａＡは、３つのサイリスタモジュール１３，１４，１５、２種類の絶縁部材３１Ａ，３２Ａ、及び、底面部４を備える。３つのサイリスタモジュール１３，１４，１５は、第１の実施形態に係る第１のサイリスタバルブ１ａと同様に、それぞれの間に柱状の絶縁部材３１Ａを介して、３段積みにされる。１段目には、ＷＺ相回路の第１のサイリスタモジュール１５が位置し、２段目には、ＶＹ相回路の第２のサイリスタモジュール１４が位置し、３段目には、ＶＹ相回路の第１のサイリスタモジュール１３が位置する。１段目のサイリスタモジュール１５と地面に設置される底面部４との間には、絶縁部材３１Ａよりも絶縁距離が２倍長い絶縁部材３２Ａが設けられる。
【００４８】
第２のサイリスタバルブ１ｂＡは、３つのサイリスタモジュール１１，１２，１６、２種類の絶縁部材３１Ａ，３２Ａ、及び、底面部４を備える。３つのサイリスタモジュール１１，１２，１６は、第１の実施形態に係る第２のサイリスタバルブ１ｂと同様に、それぞれの間に柱状の絶縁部材３１Ａを介して、３段積みにされる。１段目には、ＷＺ相回路の第２のサイリスタモジュール１６が位置し、２段目には、ＵＸ相回路の第１のサイリスタモジュール１１が位置し、３段目には、ＵＸ相回路の第２のサイリスタモジュール１２が位置する。１段目のサイリスタモジュール１６と地面に設置される底面部４との間には、絶縁部材３２Ａが設けられる。
【００４９】
ＷＺ相回路のリアクトル２５は、ＷＺ相回路の第１のサイリスタモジュール１５の第２のサイリスタバルブ１ｂＡと対向する面と反対側に設けられた端子Ｔｗ１に接続される。
【００５０】
ＶＹ相回路のコンデンサ６２は、ＶＹ相回路の第１のサイリスタモジュール１３の第２のサイリスタバルブ１ｂＡと対向する面と反対側に設けられた端子Ｔｖ１に接続される。
【００５１】
ＶＹ相回路のリアクトル２４は、ＶＹ相回路の第２のサイリスタモジュール１４の第２のサイリスタバルブ１ｂＡと対向する側に設けられた端子Ｔｙ２に接続される。
【００５２】
ＵＸ相回路のリアクトル２１は、ＵＸ相回路の第１のサイリスタモジュール１１の第１のサイリスタバルブ１ａＡと対向する側に設けられた端子Ｔｕ１に接続される。
【００５３】
ＵＸ相回路のコンデンサ６１は、ＵＸ相回路の第２のサイリスタモジュール１２の第１のサイリスタバルブ１ａＡと対向する面と反対側に設けられた端子Ｔｘ２に接続される。
【００５４】
ＷＺ相回路のコンデンサ６３は、ＷＺ相回路の第１のサイリスタモジュール１５の端子Ｔｚ１と第２のサイリスタモジュール１６の端子Ｔｗ２とをそれぞれ接続するように設けられる。２つの端子Ｔｚ１，Ｔｗ２は、２つのサイリスタバルブ１ａＡ，１ｂＡが互いに対抗する面にそれぞれ設けられる。
【００５５】
図６は、第２の実施形態に係る無効電力補償装置１０Ａのゲートブロック時におけるＵＸ相回路を構成するサイリスタモジュール１１，１２の端子間電圧を示す波形図である。なお、ＶＹ相回路及びＷＺ相回路についても、図６と同様の波形図になる。
【００５６】
ここで、Ｖａｃは交流系統電圧を、Ｖｌはリアクトル２１の端子間電圧（リアクトル電圧）を、Ｖｔｈ×２は、２つのサイリスタモジュール１１，１２の端子間の合計電圧を、Ｖｃはコンデンサ６１の電圧（コンデンサ電圧）を、Ｉｔｈはサイリスタモジュール１１，１２に流れる電流をそれぞれ示している。
【００５７】
無効電力補償装置１０Ａを運転状態からゲートブロックすると、コンデンサ６１が充電され、２つのサイリスタモジュール１１，１２の端子間に電圧Ｖｔｈ×２が発生する。図６に示すように、２つのサイリスタモジュール１１，１２の端子間電圧Ｖｔｈ×２は、交流系統電圧Ｖａｃにコンデンサ電圧Ｖｃが重畳されたものになる。交流系統電圧のピーク値をＶａｃｐ、コンデンサ電圧をＶｃ、リアクトル電圧のピーク値をＶｌｐとし、ゲートブロック時のサイリスタモジュール１１，１２の端子間電圧のピーク値をＶｔｈｐで表すと、次式のようになる。
【００５８】
Ｖｔｈｐ×２＝Ｖａｃｐ＋Ｖｃ  …式（１）
また、Ｖｃ＝Ｖａｃｐ＋Ｖｌｐであることにより、次式が得られる。
【００５９】
Ｖｔｈｐ＝（Ｖａｃｐ＋Ｖｃ）／２＝Ｖａｃｐ＋Ｖｌｐ／２  …式（２）
リアクトル電圧のピーク値Ｖｌｐは、通常、交流系統電圧の５％〜１０％程度の電圧である。したがって、サイリスタモジュール１１，１２の各端子間に印加される電圧は、交流系統電圧のピーク値Ｖａｃｐ相当に抑えられる。
【００６０】
次に、絶縁部材３１Ａ，３２Ａの絶縁距離について説明する。
【００６１】
サイリスタバルブ１ａＡ，１ｂＡのそれぞれの各サイリスタモジュール１１〜１６の間に用いられる絶縁部材３１Ａは、式（１）から（Ｖａｃｐ＋Ｖｃ）／２の電圧の絶縁が確保できる長さにする。また、サイリスタバルブ１ａＡ，１ｂＡのそれぞれの１段目のサイリスタモジュール１５，１６と底面部４との間に用いられる絶縁部材３２Ａは、式（１）からＶａｃｐ＋Ｖｃの電圧の絶縁が確保できる長さにする。
【００６２】
その他の点については、絶縁部材３１Ａ，３２Ａは、第１の実施形態に係る絶縁部材３１，３２と同様である。
【００６３】
本実施形態によれば、各相を２つのサイリスタモジュール１１〜１６で構成し、３相のうち１つの相の回路を構成する２つのサイリスタモジュール１５，１６を別々のサイリスタバルブ１ａＡ，１ｂＡに実装し、これらのサイリスタモジュール１５，１６の電気的な間の位置にコンデンサ６３を設けることで、無効電力補償装置１０Ａの高さ及び設置面積を小さくすることができる。これにより、無効電力補償装置１０Ａの設置スペースを小さくすることができる。
【００６４】
また、各相を２つのサイリスタモジュール１１〜１６で構成するため、第１の実施形態と同様に、サイリスタ５１ａ，５１ｂの直列数を増加させて、無効電力補償装置１０Ａの定格電圧などの定格容量を大きくすることができる。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
１ａ，１ｂ…サイリスタバルブ、４…底面部、１０…無効電力補償装置、１１〜１６…サイリスタモジュール、２１〜２６…リアクトル、３１，３２…絶縁部材。
【図１】
2019017153.tif 000003
【図２】
2019017153.tif 000004
【図３】
2019017153.tif 000005
【図４】
2019017153.tif 000006
【図５】
2019017153.tif 000007
【図６】
2019017153.tif 000008